(57)【要約】【課題】  丁合機、給紙装置および中綴折機を組み合わせた製本システム装置において、製本処理中のトラブルの発生を低減するとともに、製本処理の管理を行いやすくすること。【解決手段】  中綴折機１と丁合機２との間に、用紙搬送タイミング調整可能の用紙搬送機８ａ、給紙ローラ８ｂおよび用紙集積搬送機８ｄとストッパ兼用の押圧ローラ８ｃとからなる用紙集積搬送装置を順に配置し、丁合機２から搬出された用紙を用紙搬送機８ａと給紙ローラ８ｂを経由して用紙集積搬送装置に搬送するとともに、予め丁合された一冊分の用紙束の複数を載置する載置台８ｇの用紙を、給紙ローラ８ｂを経由して用紙集積搬送装置に搬送し、用紙集積搬送装置に搬送された用紙を押圧ローラ８ｃに当接して一冊分の用紙を揃えて中綴折機１に搬送する。【選択図】  図１
2005280013.tif 000002
【特許請求の範囲】
【請求項１】
一冊分の用紙束に丁合して搬出する丁合機と、予め丁合された一冊分の用紙束の複数を載置する載置台を有し、前記載置台上の用紙を搬出する給紙装置と、前記丁合機および給紙装置から搬出された一冊分の用紙を搬入し、搬入された一冊分の用紙束の中央部を綴じ、綴じた中央部を折畳んで送出する中綴折機を備えてなる製本システム装置において、前記中綴折機の用紙搬入側に一冊分ごと用紙を揃えて集積して搬送する用紙集積搬送装置を設け、前記用紙集積搬送装置に前記丁合機と前記給紙装置を連結し、前記丁合機および前記給紙装置から搬出した用紙を、前記用紙集積搬送装置を介して前記中綴折機に搬入してなることを特徴とする製本システム装置。
【請求項２】
前記丁合機と前記用紙集積搬送装置との間に用紙の搬送を調整する用紙搬送機を設けてなることを特徴とする請求項１に記載の製本システム装置。
【請求項３】
前記用紙集積搬送装置と前記中綴折機との間に、前記用紙集積搬送装置で集積した用紙を排出する分岐路を設けてなることを特徴とする請求項１又は請求項２に記載の製本システム装置。
【発明の詳細な説明】
【技術分野】
【０００１】
本発明は、丁合機、給紙装置および中綴折機を組み合わせた製本システム装置に関するものである。
【背景技術】
【０００２】
印刷機は、古くから同一頁を一度に多数枚印刷して各頁ごとに積み分けて用紙束を作成する方式が採用されている。この方式で作成された用紙束から冊子を作成するには、各頁ごとに積み重ねた用紙束から頁順に一枚づつ取出しこれを積み重ねて一冊分の用紙束を作成し、適宜表紙や他の印刷紙などを重ねてその背面を綴じて製本して一冊の冊子が完成される。
【０００３】
各頁ごとに積み重ねた用紙束から頁順に一枚づつ取出しこれを積み重ねて一冊分の用紙束を作成する機械として丁合機があり、一冊分の用紙束を綴る機械として、一冊分の用紙束を所定の位置に揃えて置き、その用紙束の中央部を針金などで綴じ、綴じた用紙束の中央部を折ナイフで折りローラ間に突き入れて折り曲げるように構成された中綴折機がある。このような丁合機と中綴折機とを用いた製本作業を簡便に行うために丁合機と中綴折機を連結した製本システム機械を構成し、丁合機で作成した一冊分の用紙束をそのまま中綴折機へ搬送して中綴折機で綴じ折りするようにしている。
【０００４】
ところで、近年、頁順に印刷しそのまま頁順に一冊分ごと積み重ねた用紙束を作成する方式の印刷機が採用される場合がある。この場合は一冊分頁順に積み重ねた用紙束を積み重ねて蓄積し、蓄積した一冊分の用紙束を取出して、適宜表紙や他の印刷紙などを重ねてその背面を綴機により綴じて製本される。この製本で上記の製本システム機械の中綴折機を利用しようとすると、丁合機を移動し、一冊分頁順に積み重ねた用紙束を積み重ねて蓄積した給紙装置に置き換える必要がある。
【０００５】
図３は、このような丁合機と給紙装置の置き換え手間を省略することのできる製本システム機械の構成を示すもので、図３において、１は中綴折機、２は丁合機、３は給紙装置、４は一冊分の用紙束である。中綴折機１は、綴じ部と折り部を有し、綴じ部は搬入された用紙を位置決めするストッパ１ｂとステッチャー１ａとで構成され、折り部は位置決めするストッパ１ｃと折ナイフ１ｄおよび一対の折りローラ１ｅとで構成されている。すなわち、中綴折機１では丁合機２および給紙装置３から送られた用紙をストッパ１ｃに突き当てて一冊分の用紙束４を揃えて置き、ステッチャー１ａを駆動して用紙束４の中央部を針金で綴じる。綴じたあとその用紙束４を折り部に送り、ストッパ１ｃに綴じた用紙束４を突き当てて位置決めし、その綴じた用紙束４の中央部の綴じ位置を折ナイフ１ｄで折りローラ１ｅ間に突き入れて折り曲げて搬出する。
【０００６】
丁合機２は、縦方向に複数段（図示では８段）の給紙棚２ａが配列され、各給紙棚２ａから給紙された用紙Ｐ１、Ｐ２、・・を積み重ねながら搬送する搬送ベルト２ｂを有し、最下段の給紙棚２ａの下方に用紙搬送ベルト２ｃが配置されている。丁合機２の丁合は、頁ごとに積み重ねた用紙束を頁ごとに各給紙棚２ａのそれぞれに載置し、上段の給紙棚２ａから搬送ベルト２ｂに給紙された１枚の用紙Ｐ１の上に、下段の給紙棚２ａから搬送ベルト２ｂに給紙された１枚の用紙Ｐ２を重ね、これを繰り返し最下段の給紙棚２ａから搬送ベルト２ｂに給紙された１枚の用紙Ｐ８を重ねて一冊分の用紙束４を作成し、用紙搬送ベルト２ｃで中綴折機１へ搬出する。
【０００７】
給紙装置３は、予め作成した一冊分の用紙束４の複数を積み重ねて蓄積する用紙台（図示なし）と、用紙台に蓄積した一冊分の用紙束４ごとに搬出する用紙搬送爪３ａを有し、この用紙搬送爪３ａで予め作成した一冊分の用紙束４を丁合機２の用紙搬送ベルト２ｃ上に搬出し、その一冊分の用紙束４は用紙搬送ベルト２ｃを介して中綴折機１へ搬出される。
【０００８】
このように構成した製本システム機械では、別途印刷した表紙や他の印刷紙などを丁合機２に蓄積し、これらの表紙や他の印刷紙を給紙装置３から搬出した用紙束に合わせて中綴折機１へ搬出することができ、製本処理の作業効率を一層改善することが可能である。
【特許文献１】特開平１１−７８２８７号公報
【０００９】
しかし、丁合する用紙の枚数が多い場合に対処するために丁合機２の複数を連結し、連結した複数の丁合機２により一度に一冊分の用紙束４を作成する場合がある。この場合、複数の丁合機２の最後部に給紙装置３を配置すると、給紙装置３から搬出される用紙束または用紙は、複数の各丁合機２を通過することになり、そのためにトラブルが発生しやすく、トラブルが発生したときの被害が大きく、また、給紙装置３から中綴折機１までの距離が長く一人の作業者で製本を管理することが困難になる問題があった。
【発明の開示】
【発明が解決しようとする課題】
【００１０】
本発明が解決しようとする課題は、丁合機、給紙装置および中綴折機を組み合わせた製本システム装置において、製本処理中のトラブルの発生を低減するとともに、製本処理の管理を行いやすくし、もって斯かる問題を解消する点である。
【課題を解決するための手段】
【００１１】
本発明は、一冊分の用紙束に丁合して搬出する丁合機と、予め丁合された一冊分の用紙束の複数を載置する載置台を有し、前記載置台上の用紙を搬出する給紙装置と、前記丁合機および給紙装置から搬出された一冊分の用紙を搬入し、搬入された一冊分の用紙束の中央部を綴じ、綴じた中央部を折畳んで送出する中綴折機を備えてなる製本システム装置において、前記中綴折機の用紙搬入側に一冊分ごと用紙を揃えて集積して搬送する用紙集積搬送装置を設け、前記用紙集積搬送装置に前記丁合機と前記給紙装置を連結し、前記丁合機および前記給紙装置から搬出した用紙を、前記用紙集積搬送装置を介して前記中綴折機に搬入してなることを最も主要な特徴とする。
【発明の効果】
【００１２】
本発明によれば、給紙装置および丁合機から搬出された用紙または用紙束は用紙集積搬送装置で一冊分正しく揃えられて中綴折機に搬送されるので、中綴折機における一冊分の用紙を揃える手間や管理が省け、綴じ折り処理速度と安定性を高めることができる。また、給紙装置と中綴折機との距離は丁合機の連結台数にかかわらず短く、特に給紙装置による製本処理中のトラブルの発生が低減されるとともに、製本処理の管理も行いやすくなる。
【００１３】
丁合機と用紙集積搬送装置との間に用紙の搬送を調整する用紙搬送機を設けると、給紙装置から用紙集積搬送装置へ搬出する用紙と丁合機から用紙集積搬送装置へ搬出する用紙とを合わせる場合、この用紙搬送機を一旦停止して丁合機から搬出した用紙を用紙集積搬送装置の直前で待機させ、適切なタイミングで駆動開始し、これにより給紙装置から搬出した用紙と丁合機から搬出した用紙とを給紙タイミングのバラツキによる影響を受けずに合わせることができ、給紙装置と丁合機の両者の利用度を高めることができる。更に、用紙集積搬送装置と中綴折機との間に、用紙集積搬送装置で集積した用紙を排出する分岐路を設け、給紙ミス発生時のミス丁合を排出するようにすると、ミス丁合が発生しても製本システム装置を止めず運転を継続することができ、製本処理効率を高めることができる。
【発明を実施するための最良の形態】
【００１４】
丁合機、給紙装置および中綴折機を組み合わせた製本システム装置において、製本処理中のトラブルの発生を低減するとともに、製本処理の管理を行いやすくする目的を、中綴折機の用紙搬入側に一冊分ごと用紙を揃えて集積した搬送する用紙集積搬送装置を設け、この用紙集積搬送装置に丁合機と給紙装置を連結し、丁合機および給紙装置から搬出した用紙を、用紙集積搬送装置を介して中綴折機に搬入することにより達成した。
【実施例１】
【００１５】
図１は実施例に係る製本システム装置の構成図、図２は図１に示す製本システム装置の給紙部の構成を拡大して示す構成図である。なお、図３に示す従来の製本システム装置と同一部分および対応する部分には同一の符号を付し、その部分の詳細な説明は省略する。図１および図２において、５は中綴折機１から搬出された折畳んだ製本物の小口を断裁する後処理装置、６は加重搬出ローラ、７は製本物受け台、８は用紙束供給装置であり、本実施例では、２台連結した丁合機２と中綴折機１との間に用紙束供給装置８を配置して構成されている。
【００１６】
用紙束供給装置８は、用紙搬送機８a、給紙ローラ８ｂ、ストッパ兼用の押圧ローラ８ｃ、用紙集積搬送機８ｄ、搬送路切換ゲート８ｅ、排出トレー８ｆおよび予め丁合された用紙束４の複数を蓄積する載置台８ｇを有し、用紙搬送機８ｄとストッパ兼用の押圧ローラ８ｃとにより用紙集積搬送装置が構成され、載置台８ｇと給紙ローラ８ｂとにより給紙装置が構成されており、用紙集積搬送機８ｄの用紙搬出側すなわち用紙集積搬送装置の用紙搬出側に中綴折機１が連結され、用紙集積搬送装置の用紙搬入側に給紙装置と丁合機２が連結されている。
【００１７】
具体的には丁合機２から搬出された用紙は用紙搬送機８aと給紙ローラ８ｂを経て用紙集積搬送装置に送られ、給紙ローラ８ｂは載置台８ｇからの用紙と丁合機２からの用紙とを合流させる合流部となっており、合流のタイミングを合わせるために用紙搬送機８aは用紙の搬送を一旦停止するなど調整可能とされている。なお、載置台８ｇに蓄積した用紙を給紙ローラ８ｂへ送る搬送機は省略しているが、１枚づつ吸着して送る搬送機であっても良い。
【００１８】
このように構成された製本システム装置では、丁合機２で丁合した一冊分の用紙束を製本する場合、丁合ミスが検出されないときには、丁合機２から搬出された一冊分の用紙束は用紙搬送機８aおよび給紙ローラ８ｂを経由して用紙集積搬送機８ｄに送られる。このとき用紙搬送機８aおよび押圧ローラ８ｃは停止し、用紙集積搬送機８ｄに送られた一冊分の各用紙は押圧ローラ８ｃに当接して揃えて積み重ねられる。そのあと用紙集積搬送機８ｄを駆動し、その用紙束は搬送路切換ゲート８ｅを経由して中綴折機１へ搬出する。また、丁合ミスが検出されたときには、搬送路切換ゲート８ｅは排出トレー８ｆ側に切換えられ、丁合機２から搬出された用紙束は用紙搬送機８a、給紙ローラ８ｂ、用紙集積搬送機８ｄおよび搬送路切換ゲート８ｅを経由して排出トレー８ｆに送られる。
【００１９】
載置台８ｇに蓄積した一冊分の用紙束を製本する場合、載置台８ｇから頁順に搬出された用紙は給紙ローラ８ｂを経由して用紙集積搬送機８ｄに送られる。このとき用紙搬送機８aおよび押圧ローラ８ｃは停止し、用紙集積搬送機８ｄに送られた一冊分の各用紙は押圧ローラ８ｃに当接して揃えて積み重ねられる。そのあと用紙集積搬送機８ｄを駆動し、その用紙束は搬送路切換ゲート８ｅを経由して中綴折機１へ搬出する。
【００２０】
載置台８ｇに蓄積した一冊分の用紙束に別途印刷した表紙や他の印刷紙を合わせる場合、丁合機２の適宜の給紙棚２ａに別途印刷した表紙や他の印刷紙を蓄積して置き、載置台８ｇからの用紙搬出動作とともに丁合機２を駆動し、表紙や他の印刷紙を搬出して用紙搬送機８a上で待機させ、所定のタイミングで用紙搬送機８aを駆動して載置台８ｇから搬出された用紙に給紙ローラ８ｂで合流させる。これにより給紙装置から搬出した用紙と丁合機から搬出した用紙とを給紙タイミングのバラツキによる影響を受けずに合わせることができる。
【００２１】
なお、以上の実施例では、縦方向に１０段の給紙棚を設けた丁合機を２台連結しているが、連結する丁合機の給紙棚の数や台数は任意である。
【図面の簡単な説明】
【００２２】
【図１】本発明の実施例に係る製本システム装置の構成図である。
【図２】図１に示す製本システム装置の給紙部の構成を拡大して示す構成図である。
【図３】従来の製本システム装置の構成図である。
【符号の説明】
【００２３】
１    中綴折機
２    丁合機
５    後処理装置
６    加重搬出ローラ
７    製本物受け台
８    用紙束供給装置
８ａ  用紙集積搬送機
８ｂ  給紙ローラ
８ｃ  ストッパ兼用の押圧ローラ
８ｄ  用紙搬送機
８ｅ  搬送路切換ゲート
８ｆ  排出トレー
８ｇ  載置台
【図１】
2005280013.tif 000003
【図２】
2005280013.tif 000004
【図３】
2005280013.tif 000005